(57)【要約】【課題】布地等の被切断物を、所望の形状に、正確に切断できるシール型紙を用いた切断方法及びそのシール型紙を提供することを課題とする。【解決手段】一方の面に粘着材が設けられ、他方の面に切断線１１ｂが描かれ、シート状に形成されたシール型紙１１を用いて、キルト芯１３を所望の形状に切断するようにしたシール型紙を用いた切断方法であって、シール型紙１１を粘着材にて、キルト芯１３に貼り付け、その後、シール型紙１１とキルト芯１３とを切断線１１ｂに沿って切断し、次いで、所望の形状に切断されたシール型紙１１をキルト芯１３から剥がすことにより、所望の形状のキルト芯１３を形成するようにした切断方法。【選択図】図３
2009179920.tif 000002
【特許請求の範囲】
【請求項１】
一方の面に粘着材が設けられ、他方の面に切断目印が描かれ、シート状に形成されたシール型紙を用いて、被切断物を所望の形状に切断するようにしたシール型紙を用いた切断方法であって、
前記シール型紙を前記粘着材にて、前記被切断物に貼り付け、その後、該シール型紙と前記被切断物とを前記切断目印に沿って切断し、次いで、所望の形状に切断された前記シール型紙を前記被切断物から剥がすことにより、所望の形状の前記被切断物を形成するようにしたことを特徴とするシール型紙を用いた切断方法。
【請求項２】
前記被切断物は、布地、ニット、フェルト、キルト、厚紙、プラスチック板、又は、木板であることを特徴とする請求項１に記載のシール型紙を用いた切断方法。
【請求項３】
前記切断目印は、前記シール型紙の型紙本体に印刷機により描かれたことを特徴とする請求項１乃至３の何れか一つに記載のシール型紙を用いた切断方法。
【請求項４】
前記請求項１乃至３の何れかに記載の切断方法に用いられることを特徴とするシール用型紙。
【発明の詳細な説明】
【技術分野】
【０００１】
この発明は、シール型紙を用いた切断方法及びそのシール型紙に関するものである。
【背景技術】
【０００２】
従来から、布地等を所望の形状に切断する場合に、布地と型紙との間にチャコペーパーを挟んで、この型紙に沿ってチャコペーパーを介して布地に、その型紙の線や印等を転記し、その後、布地からチャコペーパーや型紙を取り除き、その転記された線や印等に沿ってハサミ等により、その布地を所望の形状に切断するようにしている。
【０００３】
また、厚紙、プラスチック板、木板等を切断する場合にも、上記と同様、型紙やチャコペーパー等を用い、この型紙に沿ってチャコペーパーを介して厚紙等に、その型紙の線や印等を転記し、その後、布地からチャコペーパーや型紙を取り除き、その転記された線や印等に沿ってハサミ等により、その厚紙を所定形状に切断するようにしている。
【０００４】
なお、この種のものとしては、特許文献１に記載されたようなものがある。
【特許文献１】特開２００３−２５３５１５号公報
【発明の開示】
【発明が解決しようとする課題】
【０００５】
しかしながら、このような従来のものにあっては、型紙に沿って布地等に線や矢印等を引かなければならず、作業性が悪いと共に、フェルトやキルト芯等には、特に、線等を描き難く、又、厚紙等では、比較的高精度が要求されるが、型紙の転記では、高精度の要求は満たし難い。また、布地等の柔軟性のあるもの、特に、ニット地やキルト芯などは、作業中に加わる力の加減で、布地等が一時的に変形するため、正確な形に布地を切り出すことが非常に難しい、という問題があった。
【０００６】
そこで、この発明は、布地等の被切断物を、所望の形状に、正確に切断できるシール型紙を用いた切断方法及びそのシール型紙を提供することを課題とする。
【課題を解決するための手段】
【０００７】
請求項１に記載の発明は、一方の面に粘着材が設けられ、他方の面に切断目印が描かれ、シート状に形成されたシール型紙を用いて、被切断物を所望の形状に切断するようにしたシール型紙を用いた切断方法であって、前記シール型紙を前記粘着材にて、前記被切断物に貼り付け、その後、該シール型紙と前記被切断物とを前記切断目印に沿って切断し、次いで、所望の形状に切断された前記シール型紙を前記被切断物から剥がすことにより、所望の形状の前記被切断物を形成するようにしたシール型紙を用いた切断方法としたことを特徴とする。
【０００８】
請求項２に記載の発明は、請求項１に記載の構成に加え、前記被切断物は、布地、ニット、フェルト、キルト、厚紙、プラスチック板、又は、木板であることを特徴とする。
【０００９】
請求項３に記載の発明は、請求項１乃至３の何れか一つに記載の構成に加え、前記切断目印は、前記シール型紙の型紙本体に印刷機により描かれたことを特徴とする。
【００１０】
請求項４に記載の発明は、前記請求項１乃至３の何れかに記載の切断方法に用いられるシール用型紙としたことを特徴とする。
【発明の効果】
【００１１】
上記各請求項に記載の発明によれば、シール型紙を粘着材にて、被切断物に貼り付け、その後、シール型紙と被切断物とを切断目印に沿って切断し、次いで、所望の形状に切断されたシール型紙を被切断物から剥がすことにより、所望の形状の被切断物を形成するようにしたため、従来と異なり、被切断物に切断目印を転記する必要が無く、作業工程を削減できると共に、被切断物の切断時にシール型紙が被切断物に貼り付けられた状態で、切断目印に沿ってハサミ等により切断することから、被切断物が柔軟性を有するものでも、シール型紙を貼ることで、その変形を防止できるため、所望の形状に成形できる。
【００１２】
また、被切断物に切断目印を転記する必要が無く、シール型紙を被切断物に貼り付けた状態で、その切断目印に沿って、直接切断するようにしているため、従来において、その転記するときの精度不良を防止でき、精度良く、切断目印に沿って高精度に切断できる。
【発明を実施するための最良の形態】
【００１３】
以下、この発明の実施の形態について説明する。
［発明の実施の形態１］
【００１４】
図１乃至図３には、この発明の実施の形態１を示す。
【００１５】
まず構成を説明すると、図１中符号１１は、「被切断物」であるフェルト１２やキルト芯１３を所望の形状に切断するためのシール型紙である。
【００１６】
このシール型紙１１は、型紙本体１１ａの一方の面（図１中裏面）の全面に図示していない粘着材が設けられると共に、この粘着材に離型紙が貼り付けられている。
【００１７】
また、その型紙本体１１ａは、ハサミで切断可能な材料でシート状に形成され、他方の面（図１中表面）に、所望の形状に形成された切断目印（切断線１１ｂ）が描かれている。この切断線１１ｂに沿って、ハサミで切断するようにしている。
【００１８】
次に、かかるシール型紙１１を用いて、フェルト１２やキルト芯１３を所望の形状に切断する場合について説明する。
【００１９】
まず、図１に示す破線１４に沿ってハサミで、各パーツ毎に切断し、切り離した各パーツ毎、フェルト１２やキルト芯１３に貼り付ける。例えば、胴体型紙は、図２の（ｂ），（ｃ）に示すように貼り付ける。この貼り付けは、離型紙を剥がして粘着材を露出させ、この粘着材にてフェルト１２やキルト芯１３に胴体型紙を貼り付ける。
【００２０】
次いで、例えば図３に示すように、（ａ）に示す状態から、胴体型紙の切断線１１ｂに沿って、キルト芯１３にシール型紙１１の型紙本体１１ａが貼り付けられた状態で、ハサミにより切断する（図３（ｂ）参照）。
【００２１】
次いで、図３（ｃ）に示すように、このシール型紙１１の型紙本体１１ａをキルト芯１３から剥がすことにより、図３（ｄ）に示すように、胴体の形状（所望形状）に切断されたキルト芯１３を形成することができる。
【００２２】
このようにして、胴体の形状のフェルト１２や他の部分も同様にして切断した後、これら各パーツを組み合わせて、例えば指人形の体を作る。
【００２３】
なお、その切断線１１ｂはシール型紙１１に、印刷機を用いて、任意の形状に印刷できる。
【００２４】
このようなものにあっては、従来と異なり、フェルト１２やキルト芯１３等に型紙やチャコペーパー等を使って切断線１１ｂを転記する必要が無く、作業工程を削減できる。また、フェルト１２やキルト芯１３等に切断線１１ｂを転記する必要が無く、シール型紙１１を被切断物に貼り付けた状態で、その切断線１１ｂに沿って、直接切断するようにしているため、従来において、その転記するときの精度不良を防止でき、精度良く、切断線１１ｂに沿って高精度に切断できる。
【００２５】
また、フェルト１２やキルト芯１３等の切断時にシール型紙１１がフェルト１２やキルト芯１３等に貼り付けられた状態で、切断線１１ｂに沿ってハサミにより切断することから、フェルト１２やキルト芯１３だけを切断する場合と比較すると、切れ味が紙を切る感覚に近いため、フェルト１２やキルト芯１３等の扱いに慣れていない人でも、紙を切るようにスムーズにカットすることができる。従って、フェルト１２やキルト芯１３だけを切断する場合には、小さいパーツや複雑な曲線などのカットが困難であるが、シール型紙１１と一緒に切断することで、形が歪むことなく、切断することが可能である。
【００２６】
特に、フェルト１２の場合には、材質としてクッション性や毛羽立ち等があるため、細いしっかりとした線が描きにくく、細かいパーツのカットが必要な場合が多いため、上記利点が効果的である。
【００２７】
また、キルト芯１３の場合には、密度が無いため、印付けが困難であり、型紙の印刷も考えにくく、型抜きも適していないものであるため、素材に正確さを求める使い方はあまりしないのが普通であったが、シール型紙１１を貼り一緒にカットすることで、素材の短所のカバーができる。
［発明の実施の形態２］
【００２８】
図４乃至図６には、この発明の実施の形態２を示す。
【００２９】
上記実施の形態１では、縫い代がいらないフェルト１２等の切断方法について説明したが、この実施の形態２では、フリース１７やニット地のように縫い代を必要とする場合の切断方法について説明する。
【００３０】
すなわち、図４（ａ）に示す状態から、シール型紙１６を破線１８に沿って切断し、各パーツ毎に図４（ｂ）に示すように分離する。
【００３１】
次に、図５（ａ）に示すように、フリース１７に手（右側）と手（左側）とを貼り付け、その後、切断線１６ｂに沿ってハサミにより、フリース１７とシール型紙１６とを一緒に切断する（図５（ｂ）参照）。
【００３２】
さらに、図６（ａ）に示すように、シール型紙１６とフリース１７との間に、チャコペーパ１９を挟んで、縫線１６ｃを図示省略のボールペンでなぞり、フリース１７側に転記させ、所定形状にフリース１７を切断する。
【００３３】
他の構成及び作用は実施の形態１と同様であるため、説明を省略する。
【００３４】
なお、ニット地等の場合には、より変形しやすいことから型紙の転記、カットは、作業中に加わる力の加減で布地が一時的に変形するため、正確な形に布地を切り出すことが非常に困難であるが、シール型紙１１を貼ることで、転記作業の省略と変形を防ぐ作用があるため、整った形のパーツが作れる。
［発明の実施の形態３］
【００３５】
図７及び図８には、この発明の実施の形態３を示す。
【００３６】
この実施の形態３は、ファイバークラフト紙２３を所望の形状に切断する場合を示す。
【００３７】
まず、図７に示すように、ファイバークラフト紙２３に、切断線２２ｂが描かれたシール型紙２２を貼り付ける。その後、その切断線２２ｂに沿って、シール型紙２２とファイバークラフト紙２３とを切断し、図８に示すように、１枚の羽根取付盤２４と、３枚の羽根２５とに分離する。
【００３８】
その後、シール型紙２２を、羽根取付盤２４及び羽根２５から剥がして切断を完了する。
【００３９】
特に、このようなものにあっては、要求する形が細かく複雑なものが多いため、型紙の転記では正確な形に転記が難しいため、多くは型抜きで対応するが、小ロットのものには向かない点から、在庫リスクが大きい。シール型紙１１は、色・種類の違いあっても、同一の型紙で対応でき、印刷機で、容易に作成できるため、小ロットに対応できる。
【００４０】
他の構成及び作用は実施の形態１と同様であるため、説明を省略する。
［発明の実施の形態４］
【００４１】
図９には、この発明の実施の形態４を示す。
【００４２】
この実施の形態４は、図示省略のケント紙を所望の形状に切断する場合を示す。
【００４３】
まず、図に示すようにシール型紙２８を一点鎖線２９に沿って、ハサミにより切断して、各パーツに分ける。その後、これらパーツを、ケント紙に貼り付けて、実線に示す切断線２８ｂに沿って切断する。
【００４４】
その各パーツ中、破線３０の部分は、谷折り位置を示すと共に、のりしろ部分が設けられている。
【００４５】
他の構成及び作用は実施の形態１と同様であるため、説明を省略する。
【００４６】
なお、ネット（網）状のものに使用する場合には、難しい印付けを省略できると共に、カット時の大きな変形を固定した状態でカットできる。
【図面の簡単な説明】
【００４７】
【図１】この発明の実施の形態１に係るシール型紙を示す図である。
【図２】同実施の形態１に係るシール型紙をパーツ毎に分離した状態等を示す図である。
【図３】同実施の形態１に係るシール型紙を使ってキルト芯を所望形状に切断する状態を示す図である。
【図４】この発明の実施の形態２に係るシール型紙を示す図で、（ａ）はシール型紙を示す図、（ｂ）はシール型紙をパーツ毎に分離した状態等を示す図である。
【図５】同実施の形態２に係るシール型紙の使用方法を示す図で、（ａ）は分離したパーツをフリースに貼り付けた状態、（ｂ）はそれを切断線に沿って切断した状態を示す図である。
【図６】同実施の形態２に係るシール型紙とフリースとの間に、チャコペーパーを挟んだ状態を示す図である。
【図７】この発明の実施の形態３に係るシール型紙をファイバークラフトに貼り付けた状態を示す図である。
【図８】同実施の形態３に係る図７の状態からシール型紙の切断線に沿ってシール型紙及びファイバークラフトを切断した状態を示す図である。
【図９】この発明の実施の形態４に係るシール型紙を示す図である。
【符号の説明】
【００４８】
11,16,22,28  シール型紙
11a  型紙本体
11b,16b,22b,28b  切断線
12  フェルト
13  キルト芯
17  フリース
19  チャコペーパー
23  ファイバークラフト紙
【図１】
2009179920.tif 000003
【図２】
2009179920.tif 000004
【図３】
2009179920.tif 000005
【図４】
2009179920.tif 000006
【図５】
2009179920.tif 000007
【図６】
2009179920.tif 000008
【図７】
2009179920.tif 000009
【図８】
2009179920.tif 000010
【図９】
2009179920.tif 000011